【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
無線周波数リンクを介して緊急対応を提供するためのシステムであって、
前記無線周波数リンクを介して無線周波数信号を受信および送信するように構成された無線ネットワーク・トランシーバと、
位置決定送信機から位置決定信号を受信するように構成された位置決定受信機と、
移動トランシーバ・アセンブリのユーザによって作動されるとすぐに緊急通報信号を発生するように構成され、前記緊急通報信号が、前記無線ネットワーク・トランシーバを介して送信されるように構成された緊急通報デバイスと、
前記無線ネットワーク・トランシーバ、前記位置決定受信機、および前記緊急通報デバイスに動作可能に結合され、処理装置と、前記処理装置に動作可能に結合されたメモリとを含む移動トランシーバ・アセンブリ制御装置と、
を含む移動トランシーバ・アセンブリと、
前記無線周波数リンクを介して前記移動トランシーバ・アセンブリに動作可能に結合されたオペレーション・センタであって、
第１データ記憶デバイスと、前記第１データ記憶デバイスに動作可能に結合されたファシリティ制御装置とを含み、前記第１データ記憶デバイスが、前記移動トランシーバ・アセンブリの前記ユーザに関連付けられた個人データを記憶し、前記ファシリティ制御装置が、処理装置と、前記ファシリティ制御装置の前記処理装置に動作可能に結合されたメモリとを含み、前記ファシリティ制御装置が、前記緊急信号の受信に応じて前記ユーザの前記個人データを検索するように適応されたデータベース処理ファシリティと、
前記ファシリティ制御装置に動作可能に結合され、前記緊急通報信号の受信に応じてオペレーション・センタが緊急対応措置を開始することを可能にするように適応された一体型電話コンピュータ端末と、
前記データ処理ファシリティおよび前記一体型電話コンピュータ端末に動作可能に結合され、前記一体型電話コンピュータ端末と前記移動トランシーバ・アセンブリおよび緊急対応者との間の通信を可能にするように適応された通信インターフェースと、
前記データベース処理ファシリティの外部に設けられて前記ファシリティ制御装置に動作可能に結合されたデータベースを有し、前記データベースが、複数の登録ユーザに関連付けられた個人データを記憶するように構成された第２データ記憶デバイスと、
を含むオペレーション・センタと、
を備えるシステム。
【請求項２】
前記オペレーション・センタに位置する前記オペレーション・センタのアテンダントと前記登録ユーザが文章で通信することを可能にするように適応されたキーパッドと、前記オペレーション・センタ・アテンダントから前記登録ユーザへの指示を表示するように適応された表示器と、をさらに備える請求項１記載のシステム。
【請求項３】
前記移動トランシーバ・アセンブリが、さらに、
前記移動トランシーバ・アセンブリ制御装置に結合され、前記登録ユーザが前記オペレーション・センタのアテンダントと文字で通信することを可能にするように適応されたキーパッドと、
前記移動トランシーバ・アセンブリ制御装置に結合され、前記オペレーション・センタのアテンダントからの可聴指示を前記登録ユーザに送信するように、かつ前記移動トランシーバ・アセンブリの近辺にいる人に可聴アラームを送信するように適応されたスピーカと、
前記移動トランシーバ・アセンブリ制御装置に結合され、前記登録ユーザが前記オペレーション・センタのアテンダントと可聴式に通信することを可能にするように適応されたマイクロフォンと、
前記移動トランシーバ・アセンブリに結合され、前記オペレーション・センタのアテンダントからの指示を前記登録ユーザに表示するように適応された表示デバイスと、
を備える請求項１記載のシステム。
【請求項４】
前記個人データが、登録ユーザ識別子および医療データを含む請求項１記載のシステム。
【請求項５】
医療記録に対応付けられている指紋の識別のための生体認証デバイスを含む請求項１記載のシステム。
【請求項６】
前記緊急通報信号が、前記移動トランシーバ・アセンブリの識別子および地理的位置を含む請求項１記載のシステム。
【請求項７】
前記緊急対応措置が、緊急対応者を派遣することを含む請求項１記載のシステム。
【請求項８】
前記緊急対応措置が、前記オペレーション・センタのアテンダントと前記登録ユーザとの間の全二重音声チャネルの確立を含む請求項１記載のシステム。
【請求項９】
前記緊急対応措置が、前記可聴アラームを活動化することを含む請求項１記載のシステム。
【請求項１０】
前記位置決定受信機が、全地球測位衛星受信機および到着時間推定デバイスからなる群から選択される請求項１記載のシステム。
【請求項１１】
ワイヤレス・システムを介して緊急対応を提供するための方法であって、前記ワイヤレス・システムが、無線周波数リンクを介してオペレーション・センタに動作可能に結合された移動トランシーバ・アセンブリを含み、前記移動トランシーバ・アセンブリが、移動トランシーバ・アセンブリ制御装置を含み、前記方法が、
前記移動トランシーバ・アセンブリの位置決定受信機によって、前記移動トランシーバ・アセンブリの地理的位置を受信するステップと、
前記移動トランシーバ・アセンブリの緊急通報デバイスの作動を検出するステップと、
前記作動に応じて、緊急通報信号が前記オペレーション・センタに送信されるようにするステップと、
データ・ポールに応じて、前記移動トランシーバ・アセンブリの識別子および地理的位置が前記オペレーション・センタに送信されるようにするステップと、
一体型電話コンピュータ端末に配置されたオペレーション・センタのアテンダントによって開始された緊急対応措置に応じて、前記移動トランシーバ・アセンブリと、前記オペレーション・センタの前記一体型電話コンピュータ端末との間に全二重音声通信リンクが確立されることを可能にするステップと、
を含み、前記全二重音声通信リンクが、前記移動トランシーバ・アセンブリの登録ユーザと前記オペレーション・センタのアテンダントとの間の通信を可能とする方法。
【請求項１２】
さらに、前記移動トランシーバ・アセンブリのスピーカを介して可聴アラームが発生されることを可能にするステップを含む請求項１１記載の方法。
【請求項１３】
さらに、前記移動トランシーバ・アセンブリの表示デバイスを介して、前記オペレーション・センタのアテンダントからの指示が前記登録ユーザに表示されることを可能にするステップを含む請求項１１記載の方法。
【請求項１４】
前記緊急通報信号が前記オペレーション・センタに送信されるようにするステップが、前記移動トランシーバ・アセンブリの無線ネットワーク・トランシーバに前記緊急通報信号を送信させるステップを含む請求項１１記載の方法。
【請求項１５】
前記移動トランシーバ・アセンブリの前記地理的位置を受信するステップが、前記移動トランシーバ・アセンブリ制御装置に動作可能に結合された全地球測位衛星受信機によって前記地理的位置を受信するステップを含む請求項１１記載の方法。
【請求項１６】
前記移動トランシーバ・アセンブリ制御装置が、処理装置と、前記移動トランシーバ・アセンブリの前記処理装置に動作可能に結合されたメモリとを含む請求項１１記載の方法。
【請求項１７】
ワイヤレス・システムを介して緊急対応を提供するための方法であって、前記ワイヤレス・システムが、無線周波数リンクを介してオペレーション・センタに動作可能に結合された移動トランシーバ・アセンブリを含み、前記移動トランシーバ・アセンブリが、移動トランシーバ・アセンブリ制御装置を含み、前記オペレーション・センタが、ファシリティ制御装置を含み、前記方法が、
前記移動トランシーバ・アセンブリから緊急通報信号を受信するステップと、
前記移動トランシーバ・アセンブリの識別子および位置を要求するデータ・ポールを前記移動トランシーバ・アセンブリに送信するステップと、
前記移動トランシーバ・アセンブリの前記識別子および前記地理的位置を受信するステップと、
前記移動トランシーバ・アセンブリの前記識別子に基づいて、前記移動トランシーバ・アセンブリの登録ユーザに関連付けられた識別子および医療データを検索するステップと、
前記オペレーション・センタの一体型電話コンピュータ端末に前記識別子および医療データと前記地理的位置とが送信されるようにするステップと、
を含む方法。
【請求項１８】
さらに、
前記移動トランシーバ・アセンブリの前記地理的位置に基づいて、地理的データおよび９１１管轄データを検索するステップと、
前記オペレーション・センタの前記一体型電話コンピュータ端末に前記地理的データおよび９１１管轄データが送信されるようにするステップと、
を含む請求項１７記載の方法。
【請求項１９】
さらに、一体型電話コンピュータ端末に配置されたオペレーション・センタのアテンダントによって開始された緊急対応措置に応じて、前記移動トランシーバ・アセンブリと前記一体型電話コンピュータ端末との間の全二重通信リンクを確立するステップとを含み、前記全二重通信リンクが、前記移動トランシーバ・アセンブリの前記登録ユーザと前記オペレーション・センタのアテンダントとの間の通信を可能とする請求項１７記載の方法。
【請求項２０】
さらに、前記移動トランシーバ・アセンブリのスピーカを介して可聴アラームが発生されるようにするステップを含む請求項１９記載の方法。
【請求項２１】
さらに、前記移動トランシーバ・アセンブリの表示デバイスを介して、前記オペレーション・センタのアテンダントからの指示が前記登録ユーザに表示されるようにするステップを含む請求項１９記載の方法。
【請求項２２】
さらに、前記移動トランシーバ・アセンブリのスピーカを介して、可聴指示が前記登録ユーザにブロードキャストされるようにするスッテップを含む請求項１９記載の方法。
【請求項２３】
さらに、前記移動トランシーバ・アセンブリの前記位置と、前記登録ユーザの前記識別子および医療データとを緊急対応者に送信するステップを含む請求項１９記載の方法。
【請求項２４】
前記登録ユーザに関連付けられた識別子および医療データを検索するステップが、前記ファシリティ制御装置に結合されたデータ記憶デバイスから識別子および医療データを検索するステップを含む請求項１９記載の方法。
【請求項２５】
前記移動トランシーバ・アセンブリの前記識別子および前記地理的位置を受信するステップが、前記移動トランシーバ・アセンブリの無線ネットワーク受信機から前記識別子および前記地理的位置を受信するステップを含み、前記移動トランシーバ・アセンブリの前記地理的位置が、前記移動トランシーバ・アセンブリ制御装置に動作可能に結合された全地球測位衛星受信機によって検出される請求項１７記載の方法。